(57)【要約】      （修正有）【課題】ダンベルの重り部材をバーに取り付け、バーベルとして使用可能にするダンベル及びバーベル支持装置を提供する。【解決手段】ダンベル及びバーベル支持装置は、基部１０と、第１のテーブル３０と、第１のダンベル４と、第１の重り部材４０及び第２の重り部材４１と、第１の重り部材４０及び第２の重り部材４１と係合可能な第１のハンドルバー４２と、第２のテーブル３１と、第２のダンベル５と、第１の重り要素５０及び第２の重り要素５１と、第２のハンドルバー５２と、２つの担体３７と、２つのブラケット３１５と、を備える。バー２０、２１が第１の重り部材４０及び第１の重り要素５０と係合可能である。【選択図】図１
0003231181.tif 000002
【実用新案登録請求の範囲】
【請求項１】
基部（１０）と、前記基部に取り付けられた第１のテーブル（３０）と、前記第１のテーブル上に配置された第１のダンベル（４）と、前記第１のダンベルに有する第１の重り部材（４０）及び第２の重り部材（４１）と、前記第１の重り部材及び前記第２の重り部材と係合可能な第１のハンドルバー（４２）と、を備えるダンベル及びバーベル支持装置であって、
前記基部に取り付けられる第２のテーブル（３１）と、前記第１のテーブル及び前記第２のテーブルが互いに対して傾斜している第１の作業位置と、前記第１のテーブル及び前記第２のテーブルが互いに対して傾斜している第２の作業位置と、前記第２のテーブル上に配置される第２のダンベル（５）と、前記第２のダンベルに有する第１の重り要素（５０）及び第２の重り要素（５１）と、前記第２のダンベルが前記第１の重り要素及び前記第２の重り要素と係合可能な第２のハンドルバー（５２）と、前記第１の重り部材及び前記第１の重り部材と係合する２つの担体（３７）と、前記第２の重り部材及び前記第２の重り要素と係合する２つのブラケット（３１５）と、を備え、
前記第１のテーブル及び前記第２のテーブルが前記第２の作業位置に位置決めされたときに、前記第１の重り部材及び前記第１の重り要素が前記ブラケット及び前記第２の重り部材に向かって回転可能であり、
バー（２０、２１）が前記第１の重り部材及び前記第１の重り要素と係合可能であることを特徴とするダンベル及びバーベル支持装置。
【請求項２】
前記第１のテーブル及び前記第２のテーブルは各溝（３６）を備え、前記担体は各前記テーブルの前記溝と係合する回転軸（３１６）を備える、ことを特徴とする請求項１に記載のダンベル及びバーベル支持装置。
【請求項３】
前記第１のテーブル及び前記第２のテーブルは各ハウジング（３１３）を備え、前記ブラケットは、前記ハウジングと係合される、ことを特徴とする請求項１に記載のダンベル及びバーベル支持装置。
【請求項４】
前記基部は２つのスタンド（１７）を備え、前記テーブルはそれぞれ、前記基部上で前記テーブルを支持し、運ぶために前記スタンドと係合するローラ（３１９）を備える、ことを特徴とする請求項１に記載のダンベル及びバーベル支持装置。
【考案の詳細な説明】
【技術分野】
【０００１】
本考案は、１つ以上のダンベルを支持し、ダンベルの重り部材をバーに取り付け、バーベルとして使用可能にするダンベル及びバーベル支持装置に関するものである。
【背景技術】
【０００２】
従来のダンベルは、ダンベルとしてのみ使用でき、バーベルとしては使用することができない。
【考案の概要】
【考案が解決しようとする課題】
【０００３】
従来のダンベルは、１つ以上のダンベルを支持するために使用することができず、バーベルに変換することができない。
本考案は、上述に鑑みてなされたものであり、その目的は、１つ以上のダンベルを支持し、ダンベルの重り部材をバーに取り付け、バーベルとして使用可能にするダンベル及びバーベル支持装置を提供することにある。
【課題を解決するための手段】
【０００４】
本考案のダンベル及びバーベル支持装置は、基部（１０）と、前記基部に取り付けられた第１のテーブル（３０）と、前記第１のテーブル上に配置された第１のダンベル（４）と、前記第１のダンベルに有する第１の重り部材（４０）及び第２の重り部材（４１）と、前記第１の重り部材及び前記第２の重り部材と係合可能な第１のハンドルバー（４２）と、を備える。
本考案のダンベル及びバーベル支持装置は、前記基部に取り付けられる第２のテーブル（３１）と、前記第１のテーブル及び前記第２のテーブルが互いに対して傾斜している第１の作業位置と、前記第１のテーブル及び前記第２のテーブルが互いに対して傾斜している第２の作業位置と、前記第２のテーブル上に配置される第２のダンベル（５）と、前記第２のダンベルに有する第１の重り要素（５０）及び第２の重り要素（５１）と、前記第２のダンベルが前記第１の重り要素及び前記第２の重り要素と係合可能な第２のハンドルバー（５２）と、前記第１の重り部材及び前記第１の重り部材と係合する２つの担体（３７）と、前記第２の重り部材及び前記第２の重り要素と係合する２つのブラケット（３１５）と、を備える。
前記第１のテーブル及び前記第２のテーブルが前記第２の作業位置に位置決めされたときに、前記第１の重り部材及び前記第１の重り要素が前記ブラケット及び前記第２の重り部材に向かって回転可能である。
バー（２０、２１）が前記第１の重り部材及び前記第１の重り要素と係合可能である。
【図面の簡単な説明】
【０００５】
【図１】本考案の一実施形態のダンベル及びバーベル支持装置の斜視図である。
【図２】図１の異なる方向からみた斜視図である。
【図３】図１と状態の異なる斜視図である。
【図４】図２と状態の異なる斜視図である。
【図５】本考案の一実施形態のダンベル及びバーベル支持装置の支持装置本体の斜視図である。
【図６】図５の異なる方向からみた斜視図である。
【図７】本考案の一実施形態のダンベル及びバーベル支持装置の部分分解斜視図である。
【図８】図７の異なる方向からみた部分分解斜視図である。
【図９】本考案の一実施形態のダンベル及びバーベル支持装置の斜視図である。
【図１０】本考案の一実施形態のダンベル及びバーベル支持装置の支持装置本体の斜視図である。
【図１１】図１０の異なる方向からみた斜視図である。
【図１２】本考案の一実施形態のダンベル及びバーベル支持装置の平面図である。
【図１３】本考案の一実施形態のダンベル及びバーベル支持装置の部分分解斜視図である。
【図１４】図１３の異なる方向からみた部分分解斜視図である。
【考案を実施するための形態】
【０００６】
以下、本考案による実施形態を図面に基づいて説明する。
【０００７】
（一実施形態）
本考案のダンベル及びバーベル支持装置は、ダンベル、バーベル、及び、支持装置本体を備える。
図１から図９に示すように、ダンベル及びバーベル支持装置は１つ以上のバー２０、２１（図１から図４）及び１つ以上の重りを支持するために、基部１０の後部１２から上方に延在するフレーム１１を備える。
【０００８】
図７、図８、図１３及び図１４に示すように、基部１０は、基部１０の後部または中間部分１４から上方に延在する１つまたは複数のポスト１３と、ポスト１３上に設けられ、それぞれが案内チャネル１６を有する２つの耳部１５とを備える。
【０００９】
１つ以上の支持する第１のテーブル３０、第２のテーブル３１はそれぞれ、第１のテーブル３０、第２のテーブル３１が互いに対して傾斜している第１の作業位置または傾斜した作業位置（図１、図２、図５及び図６）と、第１のテーブル３０、第２のテーブル３１が互いに整列または整列している第２の作業位置または整列した作業位置（図３、図４、図９から図１１）との間で、第１のテーブル３０、第２のテーブル３１を基部１０に対して回転させるために、ポスト１３と係合しているピボットスピンドル３２（図７、図８、図１３及び図１４）を備える。
【００１０】
図６、図８、図９及び図１１に示すように、第１のテーブル３０、第２のテーブル３１はそれぞれ、下部に設けられた１つまたは複数のレール３３を備え、従動子３４がレール３３と係合して、従動子３４が第１のテーブル３０、第２のテーブル３１に対してレール３３に沿って摺動するように案内する。
【００１１】
図６、図９及び図１１に示すように、従動子３４はそれぞれ、第１のテーブル３０、第２のテーブル３１が基部１０に対して回転されたときに、従動子３４がレール３３に沿って移動するように案内するための耳部１５の案内チャネル１６に係合されたローラ３５を備える。
【００１２】
第１のテーブル３０、第２のテーブル３１は、各ガイド溝３６を有している。
２つの担体３７は、第１のテーブル３０、第２のテーブル３１の溝３６に係合されたピボット軸３８を有する従動子３４に回転可能に取り付けられている。
第１のテーブル３０、第２のテーブル３１は各ラック３９を備える。
担体３７及び従動子３４が第１のテーブル３０、第２のテーブル３１に対して移動されるとき、ギア３１１及び担体３７を第１のテーブル３０、第２のテーブル３１に対して回転させることを可能にするために、ギア３１１が担体３７に取り付けられ、ラック３９に係合される。
第１のテーブル３０、第２のテーブル３１が基部１０に対して回転されると、従動子３４はレール３３及び第１のテーブル３０、第２のテーブル３１に対して強制的に移動することになり、次いでギア３１１及び担体３７は第１のテーブル３０、第２のテーブル３１に対して強制的に回転することになる。
【００１３】
図８、図９、図１１及び図１２に示すように、基部１０は１つ以上の湾曲したスタンド１７を備えることができ、第１のテーブル３０、第２のテーブル３１は、それぞれ、スタンド１７と係合するための１つ以上のローラ３１２を備える。
【００１４】
図７及び図８に示すように、第１のテーブル３０、第２のテーブル３１はそれぞれ、オリフィス３１４を備えるハウジング３１３を備え、ブラケット３１５はハウジング３１３に対してブラケット３１５を上下に動かすことを可能にするために、ハウジング３１３のオリフィス３１４を通して係合された回転軸３１６を備え、バネ３１７は回転軸３１６上に係合され、ブラケット３１５をハウジング３１３に対して上方に付勢し、移動させるために、ブラケット３１５とハウジング３１３との間に係合される。
ハウジング３１３は１つ以上のパッセージ３１８を備え、ブラケット３１５は、ハウジング３１３のパッセージ３１８に係合された１つ以上のローラ３１９を備える。
【００１５】
２つの第１のダンベル４、第２のダンベル５が第１のテーブル３０、第２のテーブル３１上に支持され、担体３７及びブラケット３１５がテーブル３０、３１上の第１のダンベル４及び第２のダンベル５に係合し、支持することができ、第１のダンベル４は２組の第１の重り部材４０、第２の重り部材４１を備え、第２のダンベル５は２組の第１の重り要素５０、第２の重り要素５１を備え、第１のダンベル４、第２のダンベル５は各第１の重り部材４０、第２の重り部材４１と第１の重り要素５０、第２の重り要素５１との間に係合する第１のハンドルバー４２または第２のハンドルバー５２を備える。
【００１６】
図１及び図２に示すように、動作中、第１のダンベル４、第２のダンベル５は、互いに対して傾斜している第１のテーブル３０、第２のテーブル３１上に配置される。
【００１７】
担体３７は第１のダンベル４、第２のダンベル５の第１の組または第１の重り部材４０及び第１の組または第１の重り要素５０と係合し、それらを支持することができ、ブラケット３１５は第１のダンベル４、第２のダンベル５の第２の組または第２の重り部材４１及び第２の組または第２の重り要素５１と係合し、それらを支持することができ、第１の組または第１の重り部材４０及び第２の組または第２の重り部材４１はそれぞれ、他の重り部材４０、４１のダブテールスロット４３と係合するために、一方の側部分（図７及び図８）に形成されたダブテールスロット４３と、他方の側部分上のダブテール４４（図１３）とを備える。
【００１８】
同様に、第１の組または第１の重り要素５０及び第２の組または第２の重り要素５１はそれぞれ、一方の側部に形成されたダブテールスロット５３（図７及び図８）と、他方の第１の重り要素５０、第２の重り要素５１のダブテールスロット５３と係合するための他方の側部上のダブテール５４とを備え、第１の重り要素５０、第２の重り要素５１の２つの組のダブテール５４は、互いに向かって方向付けられ、第１の重り部材４０、第２の重り部材４１の２つの組のダブテール４４もまた、互いに向かって方向付けられる。
【００１９】
第１のダンベル４、第２のダンベル５の第１のハンドルバー４２、第２のハンドルバー５２はそれぞれ２つの端板４５、５５を備え、各端板４５、５５は、第１の重り部材４０、第２の重り部材４１のダブテール４４、５４及び第１の重り要素５０、第２の重り要素５１と係合するための別のダブテールスロット４６（図３及び図４）、５６（図７及び図８）を備える。
【００２０】
図７及び図８に示すように、第１のダンベル４、第２のダンベル５はそれぞれ、第１のハンドルバー４２、第２のハンドルバー５２に係合し、選択された数の第１の重り部材４０、第２の重り部材４１及び第１の重り要素５０、第２の重り要素５１を第１のハンドルバー４２、第２のハンドルバー５２に結合するために第１の重り部材４０、第２の重り部材４１及び第１の重り要素５０、第２の重り要素５１と係合可能な１つまたは複数のばね付勢キャッチ５７を備える。
【００２１】
第１の重り部材４０、第２の重り部材４１の２つのセットのダブテール４４は互いに向けられており、第１の重り要素５０、第２の重り要素５１の２つのセットのダブテール５４は第１のハンドルバー４２、第２のハンドルバー５２の端板４５、５５のダブテールスロット４６、５６が第１の重り部材４０、第２の重り部材４１のダブテール４４、５４及び第１の重り要素５０、第２の重り要素５１と選択的に係合することを可能にするために、互いに向けられている。
【００２２】
バーベルとして動作させる必要がある場合には、第１のハンドルバー４２、第２のハンドルバー５２を第１の重り部材４０、第２の重り部材４１及び第１の重り要素５０、第２の重り要素５１から取り外し、フレーム１１（図３及び図４）に取り付け、次に、第１のテーブル３０、第２のテーブル３１を基部１０（図３、図４、図９から図１４）に対して、第１のテーブル３０、第２のテーブル３１が互いに整列する位置まで回転させることができる。
【００２３】
第１のテーブル３０、第２のテーブル３１が傾斜位置（図１及び図２）から整列位置（図３及び図４）まで基部１０に対して回転すると、担体３７と第１の組または第１の重り部材４０と第１の組または第１の重り要素５０とは、第１のテーブル３０、第２のテーブル３１に対して約１８０度回転させられ、第１の組または第１の重り部材４０と第１の重り要素５０とのダブテールスロット５３は回転させられ、第２の重り部材４１と第２の重り要素５１とのダブテール５４に向けられる。
【００２４】
担体３７及び第１の重り部材４０ならびに第１の重り要素５０が１８０度回転される前に、ブラケット３１５及び第２のセットまたは第２の重り部材４１及び第２の重り要素５１は担体３７ならびに第１の重り部材４０及び第１の重り要素５０が１８０度回転されたときに、下方に押し下げられることでも、第２の重り部材４１及び第２の重り要素５１のダブテール５４が第１のセットまたは第１の重り部材４０及び第１の重り要素５０のダブテールスロット５３と係合することを可能にする。
【００２５】
ブラケット３１５はハウジング３１３（図７から図９）と係合し、ブラケット３１５及び第２の組または第２の重り部材４１及び第２の重り要素５１を下向きに押し下げられた位置（図９）に保持し、第２の重り部材４１及び第２の重り要素５１のダブテール５４を第１の組または第１の重り部材４０及び第１の重り要素５０のダブテールスロット５３と係合させるためのロック３１０を備えることができる。
【００２６】
バー２０、２１はそれぞれ２つの端部パネル２３を備え、各端部パネル２３は第１の重り部材４０及び第１の重り要素５０のダブテール４４、５４と係合し、第１の重り部材４０、第２の重り部材４１及び第１の重り要素５０、第２の重り要素５１を第１のバー２０及び第２のバー２１に結合するためのダブテールスロット２４を備える。
【００２７】
図１３及び図１４に示すように、第１の重り部材４０、第２の重り部材４１及び第１の重り要素５０、第２の重り要素５１は、選択された数の第１の重り部材４０、第２の重り部材４１及び第１の重り要素５０、第２の重り要素５１をバー２０、２１に結合することができるばねロック２５によってバー２０、２１に取り付けることができる。
【００２８】
図１及び図２に示すように、動作中、第１のダンベル４、第２のダンベル５及び第１のテーブル３０、第２のテーブル３１は第１のダンベル４、第２のダンベル５の第１のハンドルバー４２、第２のハンドルバー５２を使用者が容易に把握できるように、互いに対して傾斜している。
【００２９】
図３、図４及び図９に示すように、第１のテーブル３０、第２のテーブル３１は第１のテーブル３０、第２のテーブル３１が互いに並んでいるか、または整列している位置まで基部１０に対して回転される。
第１の重り部材４０及び第１の重り要素５０は第１のテーブル３０、第２のテーブル３１及び第２の重り部材４１及び第２の重り要素５１に対して回転され、第２の重り部材４１及び第２の重り要素５１に結合される。
バー２０、２１の端部パネル２３は重り部材４０のダブテール４４、５４及び第１の重り要素５０と係合されて、第１の重り部材４０、第２の重り部材４１及び第１の重り要素５０、第２の重り要素５１がバー２０、２１に結合される。
【００３０】
（その他の実施形態）
第１のダンベル４、第２のダンベル５は、互いに同一であってもよい。
２つのダンベル４、５が第１のテーブル３０、第２のテーブル３１上に支持され、担体３７及びブラケット３１５がテーブル３０、３１上の第１のダンベル４及び第２のダンベル５に係合し、支持することができ、第１のダンベル４は２組の第１の重り部材４０、第２の重り部材４１を備え、第２のダンベル５は２組の第１の重り要素５０、第２の重り要素５１を備え、第１のダンベル４、第２のダンベル５は各第１の重り部材４０、第２の重り部材４１と第１の重り要素５０、第２の重り要素５１との間に係合する第１のハンドルバー４２または第２のハンドルバー５２を備える。
【００３１】
以上、本考案は、上記実施形態になんら限定されるものではなく、考案の趣旨を逸脱しない範囲において種々の実施形態で実施可能である。
【符号の説明】
【００３２】
４第１のダンベル、
５第２のダンベル、
１０基部、
１１フレーム、
１２後部、
１３ポスト、
１４中間部分、
１５耳部、
１６案内チャネル、
１７スタンド、
２０バー、
２１バー、
２３端部パネル、
２４ダブテールスロット、
２５ばねロック、
３０第１のテーブル、
３１第２のテーブル、
３２ピボットスピンドル、
３３レール、
３４従動子、
３５ローラ、
３６溝、
３７担体、
３８ピボット軸、
３９ラック、
４０第１の重り部材、
４１第２の重り部材、
４２第１のハンドルバー、
４３ダブテールスロット、
４４ダブテール、
４５端板、
４６ダブテールスロット、
５０第１の重り要素、
５１第２の重り要素、
５２第２のハンドルバー、
５３ダブテールスロット、
５４ダブテール、
５５端板、
５６ダブテールスロット、
５７ばね付勢キャッチ、
３１０ロック、
３１１ギア、
３１２ローラ、
３１３ハウジング、
３１４オリフィス、
３１５ブラケット、
３１６回転軸、
３１７バネ、
３１８パッセージ、
３１９ローラ。
【図１】
0003231181.tif 000003
【図２】
0003231181.tif 000004
【図３】
0003231181.tif 000005
【図４】
0003231181.tif 000006
【図５】
0003231181.tif 000007
【図６】
0003231181.tif 000008
【図７】
0003231181.tif 000009
【図８】
0003231181.tif 000010
【図９】
0003231181.tif 000011
【図１０】
0003231181.tif 000012
【図１１】
0003231181.tif 000013
【図１２】
0003231181.tif 000014
【図１３】
0003231181.tif 000015
【図１４】
0003231181.tif 000016